(57)【要約】【課題】基地局からの圏外状態にある移動機が待ち受けするに際し、移動機の位置する場所によらず圏外状態から待ち受け状態への遷移時間を短くして電力消費を低く抑えるための待ち受け方法及び移動機を提供する。【解決手段】移動機の位置情報を取得する位置情報取得部と、移動機が位置する領域毎に対応する基地局情報を記憶する記憶部と、基地局から移動機への片方向通信である止まり木チャネルの探索と、基地局に対して待ち受けするための制御チャネルのオープン動作と、を実行する基地局検索部と、止まり木チャネルの検索結果と基地局情報とに基づいて制御チャネルをオープンし、基地局が待ち受けできるか否かを判断し、判断の結果に基づき基地局情報を更新する待ち受け処理部と、を備える。【選択図】図１
2004201178.tif 000002
【特許請求の範囲】
【請求項１】
基地局からの圏外状態にある移動機あるいは電源投入後の移動機が待ち受けする方法において、
基地局から移動機への片方向通信である第１のチャネルの探索結果と、前記移動機が位置する領域毎に対応して前記移動機内に記憶されている基地局情報とに基づいて基地局に対して待ち受けするための第２のチャネルをオープンし、前記基地局が待ち受けできるか否かを判断すると共に前記判断結果に基づき前記基地局情報を更新することを特徴とする移動体通信の待ち受け方法。
【請求項２】
基地局からの圏外状態にある移動機あるいは電源投入後の移動機が待ち受けする方法において、
基地局から移動機への片方向通信である第１のチャネルの探索結果と、前記移動機が位置する領域毎に対応して前記移動機内に記憶されている基地局情報とに基づいて基地局に対して待ち受けするための第２のチャネルをオープンし、前記基地局が待ち受けできるか否かを判断すると共に前記判断結果に基づき前記基地局情報を更新する手順と、
前記第１のチャネルの探索結果にのみ基づいて前記基地局に対して待ち受けするための前記第２のチャネルをオープンして前記基地局が待ち受けできるか否かを判断すると共に前記判断結果に基づき前記基地局情報を更新する手順と、
を概周期に選択することを特徴とする移動体通信の待ち受け方法。
【請求項３】
基地局からの圏外状態にある移動機あるいは電源投入後の移動機が待ち受けする方法において、
基地局から移動機への片方向通信である第１のチャネルを探索して基地局毎の受信レベルを検出し、
前記基地局毎の受信レベルに対して前記基地局毎に対応する重み付けを付与したレベルが所定の値以上である基地局をリストアップし、
前記リストアップした基地局から選んだ一つの基地局に対して待ち受けのための第２のチャネルをオープンして前記一つの基地局が待ち受け可能な基地局であるか否かを判定し、
前記一つの基地局が待ち受け可能な基地局でない場合には前記一つの基地局に対応する重み付けを所定量増減し、
前記一つの基地局が待ち受け可能な基地局である場合には前記一つの基地局に対応する重み付けをクリアして前記一つの基地局を待ち受け状態とする、
ことを特徴とする移動体通信の待ち受け方法。
【請求項４】
基地局からの圏外状態にある移動機あるいは電源投入後の移動機が待ち受けする方法において、
基地局から移動機への片方向通信である第１のチャネルを探索して基地局毎の受信レベルを検出し、
前記基地局毎の受信レベルに対して前記基地局毎に対応する重み付けを付与したレベルが所定の値以上である基地局をリストアップするか、前記基地局毎の受信レベルが所定の値以上である基地局をリストアップするか、いずれかを概周期に選択し、
前記リストアップした基地局から選んだ一つの基地局に対して待ち受けのための第２のチャネルをオープンして前記一つの基地局が待ち受け可能な基地局であるか否かを判定し、
前記一つの基地局が待ち受け可能な基地局でない場合には前記一つの基地局に対応する重み付けを所定量増減し、
前記一つの基地局が待ち受け可能な基地局である場合には前記一つの基地局に対応する重み付けをクリアして前記一つの基地局を待ち受け状態とする、
ことを特徴とする移動体通信の待ち受け方法。
【請求項５】
前記基地局毎に対応する重み付けは、前記移動機が位置する領域毎に対応して前記移動機内に記憶されることを特徴とする請求項３または４に記載の移動体通信の待ち受け方法。
【請求項６】
前記基地局は、ローミング局を含むことを特徴とする請求項１〜５のいずれか一に記載の移動体通信の待ち受け方法。
【請求項７】
基地局からの圏外状態にある移動機あるいは電源投入後の移動機が待ち受けする方法において、
ホーム局とローミング局とに対する止まり木チャネルを探索するステップと、
所定の受信レベル以上であるホーム局とローミング局とをリストアップするステップと、
リストアップした中に前記ホーム局があれば、前記ホーム局の中から前記受信レベルの高い順に待ち受け可能なホーム局を探索するステップと、
前記待ち受け可能なホーム局が見つからない場合には、前記リストアップした中の前記ローミング局毎に対応して重み付けを行うステップと、
前記受信レベルに前記重み付けを施して前記ローミング局毎の重みづけ受信レベルとして前記重みづけ受信レベルの高い順に待ち受け可能なローミング局を探索するステップと、
前記待ち受け可能なローミング局が見つかれば、前記待ち受け可能なローミング局に対応する前記重み付けをクリアして前記移動機を待ち受け状態とするステップと、
前記待ち受け可能なローミング局が見つからない場合には、前記待ち受け可能なローミング局に対応する前記重み付けを所定量増減し、移動機が基地局からの圏外状態であると判定するステップと、
を備えることを特徴とする移動体通信の待ち受け方法。
【請求項８】
基地局からの圏外状態にある移動機あるいは電源投入後の移動機が待ち受けする方法において、
ホーム局とローミング局とに対する止まり木チャネルを探索するステップと、
所定の受信レベル以上であるホーム局とローミング局とをリストアップするステップと、
リストアップした中に前記ホーム局があれば、前記ホーム局の中から前記受信レベルの高い順に待ち受け可能なホーム局を探索するステップと、
前記待ち受け可能なホーム局が見つからない場合には、前記リストアップした中の前記ローミング局毎に対応して重み付けを行うステップと、
前記受信レベルに前記重み付けを施して前記ローミング局毎の重みづけ受信レベルとして前記重みづけ受信レベルの高い順に待ち受け可能なローミング局を探索するか、前記受信レベルの高い順に待ち受け可能なローミング局を探索するか、いずれかを概周期に選択するステップと、
前記待ち受け可能なローミング局が見つかれば、前記待ち受け可能なローミング局に対応する前記重み付けをクリアして前記移動機を待ち受け状態とするステップと、
前記待ち受け可能なローミング局が見つからない場合には、前記待ち受け可能なローミング局に対応する前記重み付けを所定量増減し、移動機が基地局からの圏外状態であると判定するステップと、
を備えることを特徴とする移動体通信の待ち受け方法。
【請求項９】
前記重み付けは、前記移動機が位置する領域毎に対応して前記ローミング局毎に前記移動機内に記憶されることを特徴とする請求項７または８記載の移動体通信の待ち受け方法。
【請求項１０】
前記移動機が位置する領域は、前記移動機が備える位置情報取得部により得られる位置情報に基づくことを特徴とする請求項１、２、５、９のいずれか一に記載の移動体通信の待ち受け方法。
【請求項１１】
前記概周期は、前記第１のチャネルの探索回数に応じて発生されることを特徴とする請求項２、４のいずれか一に記載の移動体通信の待ち受け方法。
【請求項１２】
前記概周期は、前記止まり木チャネルの探索回数に応じて発生されることを特徴とする請求項８記載の移動体通信の待ち受け方法。
【請求項１３】
前記概周期は、タイマーにより発生されることを特徴とする請求項２、４、８のいずれか一に記載の移動体通信の待ち受け方法。
【請求項１４】
移動機の位置情報を取得する位置情報取得部と、
前記移動機が位置する領域毎に対応する基地局情報を記憶する記憶部と、
基地局から移動機への片方向通信である第１のチャネルの探索と、前記基地局に対して待ち受けするための第２のチャネルのオープン動作と、を実行する基地局検索部と、
前記第１のチャネルの検索結果と前記基地局情報とに基づいて前記第２のチャネルをオープンし、前記基地局が待ち受けできるか否かを判断し、前記判断の結果に基づき前記基地局情報を更新する待ち受け処理部と、
を備えることを特徴とする移動機。
【請求項１５】
移動機の位置情報を取得する位置情報取得部と、
前記移動機が位置する領域毎に対応する基地局情報を記憶する記憶部と、
基地局から移動機への片方向通信である第１のチャネルの探索と、前記基地局に対して待ち受けするための第２のチャネルのオープン動作と、を実行する基地局検索部と、
前記第１のチャネルの検索結果に基づいて前記第２のチャネルをオープンするか、前記第１のチャネルの検索結果と前記基地局情報とに基づいて前記第２のチャネルをオープンするか、いずれかを概周期に選択し、前記基地局が待ち受けできるか否かを判断し、前記判断の結果に基づき前記基地局情報を更新する待ち受け処理部と、
を備えることを特徴とする移動機。
【請求項１６】
移動機の位置情報を取得する位置情報取得部と、
前記位置情報により得られる前記移動機の位置する領域において探索が可能なローミング局と前記ローミング局に対応する重み付けとを前記領域毎に記憶する記憶部と、
ホーム局と前記ローミング局とに対する止まり木チャネルの探索と、前記ホーム局と前記ローミング局とに対して待ち受けするための制御チャネルのオープン動作と、を実行する基地局検索部と、
前記止まり木チャネルの探索によって所定の受信レベル以上である前記ホーム局と前記ローミング局とをリストアップし、
リストアップした中に前記ホーム局があれば、前記ホーム局の中から前記ホーム局に対する受信レベルの高い順に前記制御チャネルをオープンすることで待ち受け可能なホーム局を探索し、
前記待ち受け可能なホーム局が見つからない場合には、前記リストアップした中の前記ローミング局毎に対応した前記重み付けを前記記憶手段から読み出し、前記ローミング局毎の前記受信レベルに前記重み付けを付加して前記ローミング局毎の重みづけ受信レベルとし、
前記重みづけ受信レベルの高い順に前記制御チャネルをオープンすることで待ち受け可能なローミング局を探索し、
前記探索の結果、前記待ち受け可能なローミング局が見つかれば、前記待ち受け可能なローミング局に対応する前記重み付けをクリアして前記移動機を待ち受け状態とし、
前記探索の結果、前記待ち受け可能なローミング局が見つからない場合には、前記待ち受け可能なローミング局に対応する前記重み付けを所定量増減し、移動機が基地局からの圏外状態であると判定する待ち受け処理部と、
を備えることを特徴とする移動機。
【請求項１７】
移動機の位置情報を取得する位置情報取得部と、
前記位置情報により得られる前記移動機の位置する領域において探索が可能なローミング局と前記ローミング局に対応する重み付けとを前記領域毎に記憶する記憶部と、
ホーム局と前記ローミング局とに対する止まり木チャネルの探索と、前記ホーム局と前記ローミング局とに対して待ち受けするための制御チャネルのオープン動作と、を実行する基地局検索部と、
前記止まり木チャネルの探索によって所定の受信レベル以上である前記ホーム局と前記ローミング局とをリストアップし、
リストアップした中に前記ホーム局があれば、前記ホーム局の中から前記ホーム局に対する受信レベルの高い順に前記制御チャネルをオープンすることで待ち受け可能なホーム局を探索し、
前記待ち受け可能なホーム局が見つからない場合には、前記リストアップした中の前記ローミング局毎に対応した前記重み付けを前記記憶手段から読み出して前記ローミング局毎の前記受信レベルに前記重み付けを付加して前記ローミング局毎の重みづけ受信レベルとするか、前記ローミング局毎の前記受信レベルそのものを前記ローミング局毎の重みづけ受信レベルとするか、いずれかを概周期に選択し、
前記重みづけ受信レベルの高い順に前記制御チャネルをオープンすることで待ち受け可能なローミング局を探索し、
前記探索の結果、前記待ち受け可能なローミング局が見つかれば、前記待ち受け可能なローミング局に対応する前記重み付けをクリアして前記移動機を待ち受け状態とし、
前記探索の結果、前記待ち受け可能なローミング局が見つからない場合には、前記待ち受け可能なローミング局に対応する前記重み付けを所定量増減し、移動機が基地局からの圏外状態であると判定する待ち受け処理部と、
を備えることを特徴とする移動機。
【請求項１８】
前記概周期は、前記第１のチャネルの探索回数に応じて発生されることを特徴とする請求項１５記載の移動機。
【請求項１９】
前記概周期は、前記止まり木チャネルの探索回数に応じて発生されることを特徴とする請求項１７記載の移動機。
【請求項２０】
前記概周期は、タイマーにより発生されることを特徴とする請求項１５または１７記載の移動機。
【発明の詳細な説明】
【０００１】
【発明の属する技術分野】
本発明は、基地局からの圏外状態にある移動機あるいは電源投入後の移動機が待ち受けするための移動体通信の待ち受け方法及び移動機に関する。
【０００２】
【従来の技術】
移動機が電源投入されて待ち受け状態に移行する際あるいは圏外状態から待ち受け状態に移行する際に、移動機は、初めに基地局から移動機への片方向通信である止まり木チャネルを補足する。移動機は、移動機内部に持っている止まり木チャネルの情報に基づいて、受信電界レベルの検出を行う。検出された受信電界レベルが所定のしきい値以上のレベルである止まり木チャネルについて、受信電界レベルの大きな順にテーブルを作成する。
【０００３】
次に、受信電界レベルの大きい止まり木チャネルから順に待ち受け移行動作を行う。以降の説明において、待ち受けに移行するために所定の制御チャネルを開くことをＣＣＨオープンと呼ぶ。待ち受け移行のためにＣＣＨオープン動作を行い、待ち受けできれば待ち受け動作へ移行し、待ち受けできなければ、次に受信電界レベルの大きい止まり木チャネルにてＣＣＨオープン動作を行う。作成したテーブル内の止まり木チャネルがすべて待ち受けできなかった場合には圏外状態となる。
【０００４】
圏外状態にある移動機が短い時間で待ち受け状態に遷移するための移動体通信の待ち受け方法について、いくつかの技術が知られている。例えば、ホーム局とローミング局とを待ち受けるにあたってホーム局での待ち受け動作をローミング局での待ち受け動作より高い頻度で行うようにする技術が知られている（特許文献１）。
【０００５】
また、ホーム局とローミング局とを待ち受けるにあたって直前に待ち受けていた側の局を優先的に待ち受けるようにする技術が知られている（特許文献２）。
【０００６】
ところで、ＰＤＣ（Ｐｅｒｓｏｎａｌ  Ｄｉｇｉｔａｌ  Ｃｅｌｌｕｌａｒ）等において、待ち受けをするための基地局には、ホーム局とローミング局があり、ローミング局には、待ち受け可能なものと、不可能なものが存在する場合がある。
【０００７】
例えば、ある移動機は、ローミング局用止まり木チャネルの内、Ａ社網用止まり木チャネルだけが待ち受け可能であるとする。一般にローミング局用止まり木チャネルには、加入契約対象外のため待ち受けできないＢ社網用止まり木チャネルも混在することがある。
【０００８】
このような場合にローミング局の止まり木チャネル検索を行うと、待ち受け可能なＡ社網用止まり木チャネルと待ち受け不可能なＢ社網用止まり木チャネルとが検出される。その際、止まり木チャネル検索は、受信電界レベルのみを検出するために、検索した止まり木チャネルが待ち受け可能かどうかの判断がつかないこととなる。したがって、待ち受け可能かどうかの判断（Ａ社網かＢ社網か）は、ＣＣＨオープンし、報知情報を受信しないと分からないため、例えば、待ち受け不可能なＢ社網の受信電界レベルが大きい場合にはＢ社網に対してＣＣＨオープン動作をすることとなり、圏内移行時間が長くなってしまう。
【０００９】
この圏内移行時間を短くするために、ローミング局を待ち受ける際にローミング可能な基地局と判定されて登録された局を次回に優先的に検索する技術が知られている（特許文献３）。
【００１０】
【特許文献１】
特開平９−２１５０３９号公報（第２、３、４図）
【特許文献２】
特開平９−２１５０４０号公報（第３、４、６、７図）
【特許文献３】
特開２００２−１５２７９４号公報（第２図）
【００１１】
【発明が解決しようとする課題】
しかしながら、従来の技術では移動機が直前に待ち受けていた場所から移動して異なる場所で待ち受けする場合、あるいは前回に位置していたとは異なる場所で移動機の電源投入後に待ち受けする場合には、短い時間で待ち受け状態に遷移できる構成とはなっていない。
【００１２】
すなわち、特許文献１の方法では、どの場所にあっても同じ待ち受け方法を採っていて、待ち受け状態への遷移時間を短くすることができない。また、特許文献２の方法では、直前の待ち受け情報は、待ち受けする場所を移動すると意味を成さなくなり、待ち受け状態への遷移時間が長くなる。さらに、特許文献１及び特許文献２の方法は、ホーム局とローミング局のいずれかを優先的に待ち受けるための技術であり、ローミング局同士の待ち受け動作について、何ら開示していない。
【００１３】
他方、特許文献３の方法は、ローミング局同士の待ち受け動作についての技術であるが、登録された待ち受け情報は、待ち受けする場所を移動すると意味を成さなくなり、待ち受け状態への遷移時間が長くなる。
【００１４】
以上のように、従来の技術では待ち受けする場所を移動すると、待ち受け状態に至るまでの時間が長くなり、サービス性が低下する。また、待ち受け状態に至るまでの時間が長くなることで、移動機において消費される電力が増大することとなる。
【００１５】
したがって、本発明の目的は、基地局からの圏外状態にある移動機が待ち受けするに際し、移動機の位置する場所によらず圏外状態から待ち受け状態への遷移時間を短くして電力消費を低く抑えるための待ち受け方法及び移動機を提供することにある。
【００１６】
【課題を解決するための手段】
前記目的を達成するために、本発明に係る移動体通信の待ち受け方法は、第１の視点によれば、基地局からの圏外状態にある移動機あるいは電源投入後の移動機が待ち受けする方法において、基地局から移動機への片方向通信である第１のチャネルの探索結果と、前記移動機が位置する領域毎に対応して前記移動機内に記憶されている基地局情報とに基づいて基地局に対して待ち受けするための第２のチャネルをオープンし、前記基地局が待ち受けできるか否かを判断すると共に前記判断結果に基づき前記基地局情報を更新する方法とされる。
【００１７】
また、本発明に係る移動体通信の待ち受け方法は、第２の視点によれば、基地局からの圏外状態にある移動機あるいは電源投入後の移動機が待ち受けする方法において、基地局から移動機への片方向通信である第１のチャネルの探索結果と、前記移動機が位置する領域毎に対応して前記移動機内に記憶されている基地局情報とに基づいて基地局に対して待ち受けするための第２のチャネルをオープンし、前記基地局が待ち受けできるか否かを判断すると共に前記判断結果に基づき前記基地局情報を更新する手順と、前記第１のチャネルの探索結果にのみ基づいて前記基地局に対して待ち受けするための前記第２のチャネルをオープンして前記基地局が待ち受けできるか否かを判断すると共に前記判断結果に基づき前記基地局情報を更新する手順と、を概周期に選択する方法とされる。
【００１８】
さらに、本発明に係る移動体通信の待ち受け方法は、第３の視点によれば、基地局からの圏外状態にある移動機あるいは電源投入後の移動機が待ち受けする方法において、基地局から移動機への片方向通信である第１のチャネルを探索して基地局毎の受信レベルを検出し、前記基地局毎の受信レベルに対して前記基地局毎に対応する重み付けを付与したレベルが所定の値以上である基地局をリストアップし、前記リストアップした基地局から選んだ一つの基地局に対して待ち受けのための第２のチャネルをオープンして前記一つの基地局が待ち受け可能な基地局であるか否かを判定し、前記一つの基地局が待ち受け可能な基地局でない場合には前記一つの基地局に対応する重み付けを所定量増減し、前記一つの基地局が待ち受け可能な基地局である場合には前記一つの基地局に対応する重み付けをクリアして前記一つの基地局を待ち受け状態とする方法とされる。
【００１９】
また、本発明に係る移動体通信の待ち受け方法は、第４の視点によれば、基地局からの圏外状態にある移動機あるいは電源投入後の移動機が待ち受けする方法において、基地局から移動機への片方向通信である第１のチャネルを探索して基地局毎の受信レベルを検出し、前記基地局毎の受信レベルに対して前記基地局毎に対応する重み付けを付与したレベルが所定の値以上である基地局をリストアップするか、前記基地局毎の受信レベルが所定の値以上である基地局をリストアップするか、いずれかを概周期に選択し、前記リストアップした基地局から選んだ一つの基地局に対して待ち受けのための第２のチャネルをオープンして前記一つの基地局が待ち受け可能な基地局であるか否かを判定し、前記一つの基地局が待ち受け可能な基地局でない場合には前記一つの基地局に対応する重み付けを所定量増減し、前記一つの基地局が待ち受け可能な基地局である場合には前記一つの基地局に対応する重み付けをクリアして前記一つの基地局を待ち受け状態とする方法とされる。
【００２０】
本発明において好ましくは、基地局毎に対応する重み付けは、移動機が位置する領域毎に対応して前記移動機内に記憶されるようにしてもよい。
【００２１】
また、本発明において好ましくは、基地局は、ローミング局を含んでもよい。
【００２２】
本発明に係る移動体通信の待ち受け方法は、第５の視点によれば、基地局からの圏外状態にある移動機あるいは電源投入後の移動機が待ち受けする方法において、ホーム局とローミング局とに対する止まり木チャネルを探索するステップと、所定の受信レベル以上であるホーム局とローミング局とをリストアップするステップと、リストアップした中に前記ホーム局があれば、前記ホーム局の中から前記受信レベルの高い順に待ち受け可能なホーム局を探索するステップと、前記待ち受け可能なホーム局が見つからない場合には、前記リストアップした中の前記ローミング局毎に対応して重み付けを行うステップと、前記受信レベルに前記重み付けを施して前記ローミング局毎の重みづけ受信レベルとして前記重みづけ受信レベルの高い順に待ち受け可能なローミング局を探索するステップと、前記待ち受け可能なローミング局が見つかれば、前記待ち受け可能なローミング局に対応する前記重み付けをクリアして前記移動機を待ち受け状態とするステップと、前記待ち受け可能なローミング局が見つからない場合には、前記待ち受け可能なローミング局に対応する前記重み付けを所定量増減し、移動機が基地局からの圏外状態であると判定するステップと、を備える方法とされる。
【００２３】
また、本発明に係る移動体通信の待ち受け方法は、第６の視点によれば、基地局からの圏外状態にある移動機あるいは電源投入後の移動機が待ち受けする方法において、ホーム局とローミング局とに対する止まり木チャネルを探索するステップと、所定の受信レベル以上であるホーム局とローミング局とをリストアップするステップと、リストアップした中に前記ホーム局があれば、前記ホーム局の中から前記受信レベルの高い順に待ち受け可能なホーム局を探索するステップと、前記待ち受け可能なホーム局が見つからない場合には、前記リストアップした中の前記ローミング局毎に対応して重み付けを行うステップと、前記受信レベルに前記重み付けを施して前記ローミング局毎の重みづけ受信レベルとして前記重みづけ受信レベルの高い順に待ち受け可能なローミング局を探索するか、前記受信レベルの高い順に待ち受け可能なローミング局を探索するか、いずれかを概周期に選択するステップと、前記待ち受け可能なローミング局が見つかれば、前記待ち受け可能なローミング局に対応する前記重み付けをクリアして前記移動機を待ち受け状態とするステップと、前記待ち受け可能なローミング局が見つからない場合には、前記待ち受け可能なローミング局に対応する前記重み付けを所定量増減し、移動機が基地局からの圏外状態であると判定するステップと、を備える方法とされる。
【００２４】
本発明において好ましくは、移動機が位置する領域は、前記移動機が備える位置情報取得部により得られる位置情報に基づくようにしてもよい。
【００２５】
また、本発明において好ましくは、概周期は、第１のチャネルの探索回数により発生されるか、止まり木チャネルの探索回数により発生されるか、または、タイマーにより発生されるようにしてもよい。
【００２６】
本発明に係る移動機は、第７の視点によれば、移動機の位置情報を取得する位置情報取得部と、前記移動機が位置する領域毎に対応する基地局情報を記憶する記憶部と、基地局から移動機への片方向通信である第１のチャネルの探索と、前記基地局に対して待ち受けするための第２のチャネルのオープン動作と、を実行する基地局検索部と、前記第１のチャネルの検索結果と前記基地局情報とに基づいて前記第２のチャネルをオープンし、前記基地局が待ち受けできるか否かを判断し、前記判断の結果に基づき前記基地局情報を更新する待ち受け処理部と、を備える構成とされる。
【００２７】
また、本発明に係る移動機は、第８の視点によれば、移動機の位置情報を取得する位置情報取得部と、前記移動機が位置する領域毎に対応する基地局情報を記憶する記憶部と、基地局から移動機への片方向通信である第１のチャネルの探索と、前記基地局に対して待ち受けするための第２のチャネルのオープン動作と、を実行する基地局検索部と、前記第１のチャネルの検索結果に基づいて前記第２のチャネルをオープンするか、前記第１のチャネルの検索結果と前記基地局情報とに基づいて前記第２のチャネルをオープンするか、いずれかを概周期に選択し、前記基地局が待ち受けできるか否かを判断し、前記判断の結果に基づき前記基地局情報を更新する待ち受け処理部と、を備える構成とされる。
【００２８】
さらに、本発明に係る移動機は、第９の視点によれば、移動機の位置情報を取得する位置情報取得部と、前記位置情報により得られる前記移動機の位置する領域において探索が可能なローミング局と前記ローミング局に対応する重み付けとを前記領域毎に記憶する記憶部と、ホーム局と前記ローミング局とに対する止まり木チャネルの探索と、前記ホーム局と前記ローミング局とに対して待ち受けするための制御チャネルのオープン動作と、を実行する基地局検索部と、前記止まり木チャネルの探索によって所定の受信レベル以上である前記ホーム局と前記ローミング局とをリストアップし、リストアップした中に前記ホーム局があれば、前記ホーム局の中から前記ホーム局に対する受信レベルの高い順に前記制御チャネルをオープンすることで待ち受け可能なホーム局を探索し、前記待ち受け可能なホーム局が見つからない場合には、前記リストアップした中の前記ローミング局毎に対応した前記重み付けを前記記憶手段から読み出し、前記ローミング局毎の前記受信レベルに前記重み付けを付加して前記ローミング局毎の重みづけ受信レベルとし、前記重みづけ受信レベルの高い順に前記制御チャネルをオープンすることで待ち受け可能なローミング局を探索し、前記探索の結果、前記待ち受け可能なローミング局が見つかれば、前記待ち受け可能なローミング局に対応する前記重み付けをクリアして前記移動機を待ち受け状態とし、前記探索の結果、前記待ち受け可能なローミング局が見つからない場合には、前記待ち受け可能なローミング局に対応する前記重み付けを所定量増減し、移動機が基地局からの圏外状態であると判定する待ち受け処理部と、を備える構成とされる。
【００２９】
また、本発明に係る移動機は、第１０の視点によれば、移動機の位置情報を取得する位置情報取得部と、前記位置情報により得られる前記移動機の位置する領域において探索が可能なローミング局と前記ローミング局に対応する重み付けとを前記領域毎に記憶する記憶部と、ホーム局と前記ローミング局とに対する止まり木チャネルの探索と、前記ホーム局と前記ローミング局とに対して待ち受けするための制御チャネルのオープン動作と、を実行する基地局検索部と、前記止まり木チャネルの探索によって所定の受信レベル以上である前記ホーム局と前記ローミング局とをリストアップし、リストアップした中に前記ホーム局があれば、前記ホーム局の中から前記ホーム局に対する受信レベルの高い順に前記制御チャネルをオープンすることで待ち受け可能なホーム局を探索し、前記待ち受け可能なホーム局が見つからない場合には、前記リストアップした中の前記ローミング局毎に対応した前記重み付けを前記記憶手段から読み出して前記ローミング局毎の前記受信レベルに前記重み付けを付加して前記ローミング局毎の重みづけ受信レベルとするか、前記ローミング局毎の前記受信レベルそのものを前記ローミング局毎の重みづけ受信レベルとするか、いずれかを概周期に選択し、前記重みづけ受信レベルの高い順に前記制御チャネルをオープンすることで待ち受け可能なローミング局を探索し、前記探索の結果、前記待ち受け可能なローミング局が見つかれば、前記待ち受け可能なローミング局に対応する前記重み付けをクリアして前記移動機を待ち受け状態とし、前記探索の結果、前記待ち受け可能なローミング局が見つからない場合には、前記待ち受け可能なローミング局に対応する前記重み付けを所定量増減し、移動機が基地局からの圏外状態であると判定する待ち受け処理部と、を備える構成とされる。
【００３０】
【発明の実施の形態】
添付図面を参照して、本発明の実施の形態を以下に説明する。
【００３１】
図１は、本発明の実施の形態に係る移動機の構成例を示すブロック図である。移動機は、無線通信用のアンテナ１０、送受信データを変復調する無線部１１、移動機全体の制御を司る移動機制御部１２、ユーザが移動機の操作を行う操作部１３、移動機における情報をユーザに対して表示する表示部１４から構成される。
【００３２】
移動機制御部１２には、移動機の位置を取得する位置情報取得部１５、止まり木チャネル検索及びＣＣＨオープン動作の処理を行う基地局検索部１６、待ち受け移行処理を実行する待ち受け処理部１７、待ち受け移行処理の実行において参照されるチャンネル情報１９と重みテーブル２０とを含む基地局情報を記憶する記憶部１８が含まれる。他にも移動機制御部１２には、無線部１１、操作部１３、表示部１４等に対する制御を行う部分も存在するが、本発明の主旨に係らないため説明を省略する。
【００３３】
以上のような移動機の構成において、受信信号は、アンテナ１０を通り、無線部１１で復調され、基地局探索部１６で受信の処理が成される。他方、送信信号は、基地局探索部１６で生成され、無線部１１で変調され、アンテナ１０から送出される。
【００３４】
基地局からの圏外状態で待ち受けする移動機は、アンテナ１０から受信した止まり木チャネル帯域の電波を無線部１１で復調し、基地局探索部１６でホーム局とローミング局とに対する止まり木チャネルを探索する。探索した結果、待ち受け処理部１７は、所定の受信レベル以上であるホーム局とローミング局とをリストアップし、リストアップした基地局とその受信レベルとを記憶部１８内のチャネル情報１９に記憶する。
【００３５】
また、待ち受け処理部１７は、リストアップした中にホーム局があれば、ホーム局の中から受信レベルの高い順にＣＣＨオープンし、待ち受け可能なホーム局を探索する。なお、ＣＣＨオープンは、基地局探索部１６によって所定のデータを生成し、無線部１１で変調し、アンテナ１０から送出すると共に、対応する受信データを、アンテナ１０を介し、無線部１１で復調して基地局探索部１６で処理することで実行される。
【００３６】
探索の結果、待ち受け可能なホーム局が見つからない場合には、リストアップした中のローミング局毎に対応して記憶部１８内に記憶されている重みテーブル２０から重み付けを読出し、受信レベルに重み付けを施してローミング局毎の重みづけ受信レベルを算出する。ここで重みテーブル２０には、移動機が位置する領域における基地局の待ち受け可能性の度合いを示す基地局情報が重みづけとして領域毎に対応して蓄えられている。また、領域は、基地局の配置状況等に応じて移動機の位置の取得方法等を加味し、予め設定されているものとする。
【００３７】
なお、位置情報取得部１５による移動機の位置の取得方法は、ＧＰＳ（Ｇｌｏｂａｌ  Ｐｏｓｉｔｉｏｎｉｎｇ  Ｓｙｓｔｅｍ）による方法、事業者による各種の位置情報サービスによる方法等がある。
【００３８】
待ち受け処理部１７は、算出した重みづけ受信レベルの高い順にＣＣＨオープンし、待ち受け可能なローミング局を順次探索する。なお、ＣＣＨオープンは、基地局探索部１６によって所定のデータを生成し、無線部１１で変調し、アンテナ１０から送出すると共に、対応する受信データを、アンテナ１０を介し、無線部１１で復調して基地局探索部１６で処理することで実行される。
【００３９】
探索の結果、待ち受け可能なローミング局が見つかれば、待ち受け可能なローミング局に対応する重み付けをクリアして重みテーブル２０を変更すると共に、移動機を待ち受け状態とする。
【００４０】
また、待ち受け可能なローミング局が見つからない場合には、待ち受け可能なローミング局に対応する重み付けを所定量増減して重みテーブル２０を変更すると共に、移動機が基地局からの圏外状態であると判定する。
【００４１】
以上のように、領域毎に存在する過去の重みづけを用いることで、移動機が直前に待ち受けていた場所から移動して異なる場所で待ち受けする場合、あるいは前回に位置していたとは異なる場所で移動機の電源投入後に待ち受けする場合に、無用な基地局へのＣＣＨオープン動作をし難くして短い時間で待ち受け状態に遷移することができる。
【００４２】
【実施例】
上記した本発明の実施の形態についてさらに詳細に説明すべく、本発明の実施例について図面を参照して説明する。
【００４３】
図２は、本発明の第１の実施例に係る移動機における処理フローを示す図である。基地局からの圏外状態で待ち受けする移動機は、ステップＳ１で待ち受け処理をスタートする。
【００４４】
ステップＳ２でホーム局とローミング局とに対する止まり木チャネルをスキャンし、探索する。
【００４５】
ステップＳ３では、所定の受信レベル以上であるホーム局及びローミング局があるか否かを判定し、なければステップＳ４へ進み、あればステップＳ５に進む。
【００４６】
ステップＳ４では、待ち合わせのため時間Ｔ１だけ処理を遅延し、ステップＳ２に戻る。遅延時間により処理が中断されるため、止まり木チャネルを探索への移行時間は長くなるが、移動機における消費電力が極めて小さな値となる。
【００４７】
ステップＳ５では、所定の受信レベル以上となるホーム局及びローミング局をリストアップし、リストアップされた基地局とその受信レベルとを記憶部１８内のチャネル情報１９に書き込む。この際に、ホーム局及びローミング局毎に区分けし、あるいは種別を示すフラグなどを付与し、受信レベルの大きな順にテーブル状に並べる。
【００４８】
ステップＳ６では、チャネル情報１９内にホーム局があるか否かを判断し、ホーム局があれば、ステップＳ７に進み、ホーム局がなければ、ステップＳ１３に進む。
【００４９】
ステップＳ７では、受信レベルの大きな順にホーム局に対してＣＣＨオープンを行う。
【００５０】
ステップＳ８では、ＣＣＨオープンを行ったホーム局が待ち受け可能か否かを判断する。待ち受け可能であれば、ステップＳ９で待ち受け動作を行う。待ち受け不可能ならば、ステップＳ１０に進む。
【００５１】
ステップＳ１０では、ＣＣＨオープンを行ったホーム局をチャネル情報１９内のリストより外す。
【００５２】
ステップＳ１１では、ＣＣＨオープンの対象となるホーム局がまだあるか否かを判断する。まだあれば、次のホーム局に対してＣＣＨオープンを行うためにステップＳ７に進む。もうなければ、ステップＳ１２に進む。
【００５３】
ステップＳ１２では、チャネル情報１９内にＣＣＨオープンの対象となるローミング局があるか否かを判断する。あれば、ステップＳ１３に進み、なければ、ステップＳ４に進む。
【００５４】
ステップＳ１３では、位置情報取得部１５により取得された移動機の位置に基づき、記憶部１８内に記憶されている重みテーブル２０から対応する重み付けを読出し、ＣＣＨオープンの対象となるチャネルの受信レベルに読み出した重み付けを加えてローミング局毎の重みづけ受信レベルを算出する。
【００５５】
ここで、重みテーブル２０について説明する。図３は、本発明の実施例に係る重みテーブルの内容を示す図である。重みテーブル２０には、過去に移動機が存在した領域に対応して、領域毎の止まり木チャンネルとそのチャンネルに対する重みづけが記録されている。例えば領域Ａテーブル２０１には過去に移動機が止まり木チャンネルの１、５、７、８チャネルをＣＣＨオープンし、その結果の重みづけがそれぞれα、２α、α、３αであることを示している。また、領域Ｂテーブル２０２には過去に移動機が止まり木チャンネルの３、４チャネルをＣＣＨオープンし、その結果の重みづけがそれぞれ３α、２αであることを示している。なお、全ての重みづけは、移動機のサービス開始時にクリアされる（０となる）ものとし、αは、一般に負の値である。
【００５６】
ステップＳ１４では、ステップＳ１３で求めた重みづけ受信レベルの大きな順にローミング局に対してＣＣＨオープンを行う。
【００５７】
ステップＳ１５では、ＣＣＨオープンを行ったローミング局が待ち受け可能か否かを判断する。待ち受け可能であれば、ステップＳ１６に進み、待ち受け不可能ならば、ステップＳ１８に進む。
【００５８】
ステップＳ１６では、重みテーブル２０内にある現在移動機の位置する領域に対応するテーブル中の待ち受け可能となるローミング局に対するチャネルの重みづけをクリアする（０にする）。さらに、ステップＳ１７で待ち受け動作を行う。
【００５９】
ステップＳ１８では、重みテーブル２０内にある現在移動機の位置する領域に対応するテーブル中の待ち受け可能となるローミング局に対するチャネルの重みづけを増加する。例えばαを加算する。
【００６０】
ステップＳ１９では、ＣＣＨオープンを行ったローミング局をチャネル情報１９内のリストより外す。
【００６１】
ステップＳ２０では、チャネル情報１９内にＣＣＨオープンの対象となるローミング局がまだあるか否かを判断する。まだあれば、次のローミング局に対してＣＣＨオープンを行うためにステップＳ１４に進む。もうなければ、ステップＳ４に進む。
【００６２】
以上説明したように移動機は、待ち受けのための処理フローを実行する。すなわち、基地局からの圏外状態にある移動機あるいは電源投入後の移動機が待ち受けする際に、ホーム局とローミング局とに対する止まり木チャネルを探索し、所定の受信レベル以上の基地局をリストアップする。リストアップした基地局中にホーム局があれば、ホーム局の中から受信レベルの高い順にＣＣＨオープンして待ち受け可能なホーム局を探索し、待ち受け可能なホーム局が見つからない場合あるいはリストアップした基地局中にホーム局がない場合には、次にローミング局の探索を行う。
【００６３】
ローミング局の探索にあたって、移動機の位置する領域に対応する重みづけを読出し、リストアップした基地局中のローミング局毎の受信レベルに対応する重み付けを加算し、ローミング局毎の重みづけ受信レベルとする。重みづけ受信レベルの高い順にＣＣＨオープンして待ち受け可能なローミング局を探索する。待ち受け可能なローミング局が見つかれば、待ち受け可能なローミング局に対応する重み付けをクリアして移動機を待ち受け状態とする。待ち受け可能なローミング局が見つからない場合には、待ち受け可能なローミング局に対応する重み付けを加算する。
【００６４】
待ち受け可能なローミング局をすべて探索しても待ち受け可能なローミング局が見つからない場合には、移動機は、基地局からの圏外状態であると判断し、待ち合わせのため時間Ｔ１だけ処理を遅延した後、再度ホーム局とローミング局とに対する止まり木チャネルを探索する。遅延の間は、処理が中断されるために移動機における消費電力が極めて小さな値となる。
【００６５】
以上のように移動機が待ち受けのための処理フローを実行することで、重みづけテーブルが形成される。すなわち、移動機の位置する領域毎に対応して待ち受け可能なローミング局に対する重みづけが、過去における待ち受け可能性を反映することで、受信電界レベルは大きいが加入契約対象外であるローミング局等を待ち受けし難くすることができる。このことにより、無用なＣＣＨオープン動作を減らし、圏内移行時間を短くすることができる。
【００６６】
以上の説明では重みづけを負の値であるαとして、αを加算する方法について述べたが、同等の効果を有する重みづけであれば、他の方法を採用してもよい。例えば重みづけを１より小さな係数とし、この係数を受信レベルに乗算するようにしてもよい。
【００６７】
次に、本発明の他の実施例について説明する。図４は、本発明の第２の実施例に係る移動機における処理フローを示す図である。ステップＳ１００、ステップＳ１０１、ステップＳ１０２を除き、図２の処理フローと同じ符号のステップは、同等の処理を行う。
【００６８】
基地局からの圏外状態で待ち受けする移動機は、ステップＳ１で待ち受け処理をスタートする。
【００６９】
ステップＳ１００でタイマーＴ２をスタートさせ、ステップＳ２でホーム局とローミング局とに対する止まり木チャネルを探索する。以下の説明において図２の処理フローと同等のステップについては、説明を省略する。
【００７０】
ステップＳ６では、チャネル情報１９内にホーム局があるか否かを判断し、ホーム局があれば、ステップＳ７に進み、ホーム局がなければ、ステップＳ１０１に進む。
【００７１】
ステップＳ１２では、チャネル情報１９内にＣＣＨオープンの対象となるローミング局があるか否かを判断する。あれば、ステップＳ１０１に進み、なければ、ステップＳ４に進む。
【００７２】
ステップＳ１０１では、タイマーＴ２がタイムアウトしたか否かを判断する。タイムアウトした場合には、ステップＳ１０２に進み、タイムアウトしていない場合には、ステップＳ１３に進む。
【００７３】
ステップＳ１０２では、タイマーＴ２をスタートさせ、ステップＳ１３をスキップし、ステップＳ１４に進む。
【００７４】
ここで、タイマーＴ２の値は、遅延Ｔ１に比べて充分大きな値とする。タイマーＴ２により、ステップＳ１３をスキップして重み付けなしでＣＣＨオープン動作を行うステップＳ１４の処理が概ねＴ２／Ｔ１毎に定期的に実行されるようになる。したがって、何らかの理由で誤った重みづけ情報が重みテーブル２０に格納され、本来待ち受け可能な基地局にアクセスできなくなることを防止することが可能となる。
【００７５】
すなわち、誤った重みテーブルに基づいて基地局を再度待ち受けすることを防止するために、重みテーブルを定期的に参照せずに基地局を待ち受けするように動作する。これにより本来待ち受け可能であるはずの基地局にアクセスしなくなることを防止するフェールセーフ的な動作が行われる。
【００７６】
誤った重みづけがされる要因としては、例えば、移動機の存在する位置が領域の境界付近にあって、位置情報の誤差が大きいために移動機の存在する領域を誤り、異なる領域の重みテーブルを用いること、あるいは、基地局に不具合が生じ、パラメータが不正であることなどが考えられる。
【００７７】
図５は、本発明の第３の実施例に係る移動機における処理フローを示す図である。ステップＳ１１０、ステップＳ１１１、ステップＳ１１２、ステップＳ１１３を除き、図２の処理フローと同じ符号のステップは、同等の処理を行う。
【００７８】
基地局からの圏外状態で待ち受けする移動機は、ステップＳ１で待ち受け処理をスタートする。
【００７９】
ステップＳ１１０で繰返し回数ＮをＮ０に初期化する。ステップＳ２でホーム局とローミング局とに対する止まり木チャネルを探索する。以下の説明において図２の処理フローと同等のステップについては、説明を省略する。
【００８０】
ステップＳ６では、チャネル情報１９内にホーム局があるか否かを判断し、ホーム局があれば、ステップＳ７に進み、ホーム局がなければ、ステップＳ１１１に進む。
【００８１】
ステップＳ１２では、チャネル情報１９内にＣＣＨオープンの対象となるローミング局があるか否かを判断する。あれば、ステップＳ１１１に進み、なければ、ステップＳ４に進む。
【００８２】
ステップＳ１１１では、Ｎが０か否かを判断する。Ｎが０の場合には、ステップＳ１１２に進み、Ｎが０でない場合には、ステップＳ１３に進む。
【００８３】
ステップＳ１１２では、繰返し回数ＮをＮ０に初期化し、ステップＳ１３、ステップＳ１１３をスキップし、ステップＳ１４に進む。
【００８４】
ステップＳ１１３では、Ｎを１減じて（Ｎ←Ｎ−１）、ステップＳ１４に進む。
【００８５】
ここで、初期化される繰返し回数Ｎ０は、１以上の整数であって、ステップＳ１３をスキップする回数を示す。Ｎ０を１以上の整数とすることにより、ステップＳ１３をスキップして重み付けなしでＣＣＨオープン動作を行うステップＳ１４の処理が（Ｎ０＋１）回に１回毎に実行されるようになる。したがって、本発明の第２の実施例に係る処理において説明した効果と同等の効果を示す。
【００８６】
以上説明したように本発明の第１〜第３の実施例では、ローミング局でＣＣＨオープンし、待ち受けできない基地局情報を重みづけとして保存する。次回の止まり木チャネルの検索時に基地局情報を利用することにより、待ち受け不可能となるローミング局のＣＣＨオープン動作をキャンセルあるいは後回しにして圏内への復帰時間を早めることができる。
【００８７】
すなわち、他事業者のため待ち受けできないローミング局等は、ＣＣＨオープンの候補から重みづけによって次第に外れていくこととなる。なお、αを大きい負の値とすれば、急速にＣＣＨオープンの候補から外すことができる。さらに、極端な場合としてαを実質的に負の無限大として扱って重みづけの演算をすることなしに、ＣＣＨオープンの候補から外すこともできる。
【００８８】
また、本発明の第２または第３の実施例では、ローミング局でＣＣＨオープンし、待ち受けできない基地局情報を重みづけとして保存する。次回の止まり木チャネル検索時に重みづけを利用するか否かをタイマーあるいはカウンタによって周期的に判別する。したがって、何らかの理由で不当な重みづけの対象となっている基地局を再度待ち受け可能とすることができる。
【００８９】
【発明の効果】
以上説明したように、本発明による移動体通信の待ち受け方法及び移動機は、待ち受けできない基地局情報を地域別に保存し、次回の止まり木チャネル検索時に利用する。したがって、該当の地域において待ち受け不可能となる基地局情報を利用してＣＣＨオープン動作をキャンセルまたは後回しにできるので、移動機の位置する場所によらず圏外状態から待ち受け状態への遷移時間を短くすることができ、移動機の電力消費を低く抑えることができる。
【００９０】
また、本発明による移動体通信の待ち受け方法及び移動機は、待ち受けできない基地局情報を地域別に保存し、次回の止まり木チャネル検索時に利用する際に、概周期的に基地局情報を参照しないように動作する。したがって、誤った基地局情報に基づいて基地局を再度待ち受けすることを防止し、本来待ち受けすべき基地局を正しく待ち受けして圏外状態から待ち受け状態への遷移時間を短くすることができる。
【図面の簡単な説明】
【図１】本発明の実施の形態に係る移動機の構成例を示すブロック図である。
【図２】本発明の第１の実施例に係る移動機における処理フローを示す図である。
【図３】本発明の実施例に係る重みテーブルの内容を示す図である。
【図４】本発明の第２の実施例に係る移動機における処理フローを示す図である。
【図５】本発明の第３の実施例に係る移動機における処理フローを示す図である。
【符号の説明】
１０  アンテナ
１１  無線部
１２  移動機制御部
１３  操作部
１４  表示部
１５  位置情報取得部
１６  基地局探索部
１７  待ち受け処理部
１８  記憶部
１９  チャネル情報
２０  重みテーブル
２０１  領域Ａテーブル
２０２  領域Ｂテーブル
【図１】
2004201178.tif 000003
【図２】
2004201178.tif 000004
【図３】
2004201178.tif 000005
【図４】
2004201178.tif 000006
【図５】
2004201178.tif 000007